(57)【要約】【課題】高レベル放射性廃液中のＣｒ、Ｍｏ、Ｐｄ、Ｔｃ、Ｗ、Ｒｅ、Ｐｕ等の金属類を効率的に、簡単な工程及び操作で抽出分離できる金属類の溶媒抽出分離方法を提供する。【解決手段】下記一般式（Ｉ）で表されるメチルイミノビスジアルキルアセトアミドを用いることを特徴とする金属類の溶媒抽出分離方法。ＣＨ３−Ｎ−（ＣＨ２ＣＯＮＲ２）２・・・・（Ｉ）（式中、Ｒは炭素数８個〜１２個のアルキル基を示す）【選択図】なし【特許請求の範囲】
【請求項１】
下記一般式（Ｉ）：
ＣＨ３−Ｎ−（ＣＨ２ＣＯＮ（Ｒ２）２・・・（Ｉ）
（式中、Ｒは炭素数が８個〜１２個のアルキル基を示す)
で表されるメチルイミノビスジアルキルアセトアミドを抽出剤として用いることを特徴とするＣｒ、Ｍｏ、Ｐｄ、Ｔｃ、Ｗ、Ｒｅ、Ｐｕから選択される金属類の溶媒抽出分離方法。
【請求項２】
メチルイミノビスジアルキルアセトアミドがメチルイミノビスジオクチルアセトアミドである、請求項１に記載の溶媒抽出分離方法。
【発明の詳細な説明】
【技術分野】
【０００１】
本発明は、メチルイミノビスジアルキルアセトアミドを用いたＣｒ、Ｍｏ、Ｐｄ、Ｔｃ、Ｗ、Ｒｅ、Ｐｕから選択される金属類の溶媒抽出方法に関する。
【背景技術】
【０００２】
原子力分野で発生する高レベル放射性廃液中には、Ｐｄ、Ｔｃ、Ｍｏ、Ｐｕなどの金属類が含まれている。Ｔｃは、長半減期で中間貯蔵後の高レベル放射性廃液中で強い放射能を出し続けるので、長期にわたる潜在的な危険性がある。Ｍｏは、ガラス固化体の強度を下げる金属であり、ガラス固化体中の濃度が制限される元素である（非特許文献１）。Ｐｕは、使用済み燃料中に大量に含まれ、高速増殖炉では燃料として利用することのできる元素である。したがって、これらの金属は高レベル放射性廃液中から分離回収し、その他の元素と別の処理をする必要がある。
【０００３】
しかし、これらの金属類は水溶液中においてＴｃＯ４−、ＭｏＯ４−などの陰イオンとして存在するため、通常の抽出剤（例えばAliquat336, テトラフェニルアルソニウム塩等）では抽出しにくい。Ｔｃの抽出法については種々提案されている（非特許文献２及び３）が、分配比が低く、被抽出金属に伴って抽出されてしまうなど、いまだ不十分である。また、高レベル放射性廃液中のＰｄは、溶媒抽出系において有機相に分配されるが、この有機相は金属濃度が高くなると希釈剤から主としてなる軽い相と金属が濃縮された重い相（第三相という）が生成し、プロセス運転時にラインの目詰まり等の問題を起こす場合がある。Ｃｒ、Ｗ、Ｒｅは高レベル放射性廃液中における存在量は少ないが、水溶液中でオキソ酸（Ｃｒ２Ｏ７２−、ＷＯ４２−、ＲｅＯ４−）として存在し、一般的に分離することが困難である。さらに、高レベル放射性廃液は硝酸水溶液であり、溶媒抽出に用いる有機溶剤として毒性が低く安定なドデカンが好適であるが、従来の抽出剤はドデカン中では使用することができない。
【非特許文献１】原子力機構次世代原子力システム研究開発部門, “高速増殖炉サイクルの実用化戦略調査研究フェーズII 技術検討書−（２）燃料サイクルシステム−”, JAEA-Research 2006-043 (2006)
【非特許文献２】N. Condamines, C. Musikas and L.H. Delmau, CEA-CON--11456 (1993)
【非特許文献３】M. Takeuchi, S. Tanaka, M. Yamawaki, Radiochim. Acta 63 (1993) 97-100
【発明の開示】
【発明が解決しようとする課題】
【０００４】
高レベル放射性廃液中のＣｒ、Ｍｏ、Ｐｄ、Ｔｃ、Ｗ、Ｒｅ、Ｐｕの回収に際しては以下の課題がある。
（１）Ｃｒ、Ｍｏ、Ｔｃ、Ｗ及びＲｅは水溶液中にオキソ酸として存在するため、化学分離が難しい。
（２）Ｍｏ、Ｔｃ、Ｐｄ、Ｐｕは高レベル放射性廃液中に高濃度で存在するため、従来の分離法では工程・操作が複雑である。
（３）溶媒抽出法においては、目的金属に対して高い親和性を有する抽出剤が要求されるが、従来提案されている抽出剤には高レベル放射性廃液中のＣｒ、Ｍｏ、Ｐｄ、Ｔｃ、Ｗ、Ｒｅ、Ｐｕに対する高い親和性を有する抽出剤がない。
（４）高レベル放射性廃液は硝酸水溶液であるため、溶媒抽出に用いる有機溶媒としては、毒性が少なく、安定なドデカンが好ましいが、従来の抽出剤（例えばAliquat336、テトラフェニルアルソニウム塩等）はドデカン存在下で使用できない。
（５）従来の抽出剤（例えばAliquat336、テトラフェニルアルソニウム塩等）は、強い毒性を有し、焼却処分ができない。
（６）従来の抽出剤（例えばAliquat336、テトラフェニルアルソニウム塩等）は、経済性が悪い。
【０００５】
したがって、本発明の目的は、毒性が少なく、焼却処分が可能で経済性にも優れた抽出剤を用いて、高レベル放射性廃液中のＣｒ、Mｏ、Ｐｄ、Ｔｃ、Ｗ、Ｒｅ、Ｐｕ等の金属類を効率的に、簡単な工程及び操作で抽出できる、金属類の溶媒抽出分離方法を提供することにある。
【課題を解決するための手段】
【０００６】
本発明者らは、上記課題を解消すべく鋭意検討した結果、特定の構造を有するアセトアミド化合物が、上記課題を解消しうる抽出剤足りうることを知見し、本発明を完成するに至った。
【０００７】
すなわち本発明は、下記一般式（Ｉ）： 
ＣＨ３−Ｎ−（ＣＨ２ＣＯＮＲ２）２・・・・（Ｉ）
（式中、Ｒは炭素数が８個〜１２個のアルキル基を示す）
で表されるメチルイミノビスジアルキルアセトアミド（以下、この化合物を「ＭＩＤＡＡ」という）を抽出剤として用いることを特徴とする高レベル放射性廃液からＣｒ、Ｍｏ、Ｐｄ、Ｔｃ、Ｗ、Ｒｅ、Ｐｕなどの金属類の溶媒抽出分離方法を提供するものである。
【０００８】
上記一般式（Ｉ）におけるＲの具体例としては、オクチル基、デシル基、ドデシル基等を挙げることができ、特にオクチル基が好ましい。したがって、本発明において抽出剤として用いられる上記ＭＩＤＡＡの具体例としては、メチルイミノビスジオクチルアセトアミド、メチルイミノビスジデシルアセトアミド、メチルイミノビスジドデシルアセトアミドを挙げることができ、特にメチルイミノビスジオクチルアセトアミドが好ましい。ＭＩＤＡＡは、疎水性が高く、ｎ−ドデカンとの親和性が高く、空気中分解や昇華等の反応が起こらず空気中で安定に存在する。さらに、Ｃｒ、Ｍｏ、Ｐｄ、Ｔｃ、Ｗ、Ｒｅ、Ｐｕなどの金属類との錯体を容易に形成することができる三座配位子である。また、ＭＩＤＡＡは、炭素、水素、酸素、窒素からなる化合物であり、二次廃棄物の発生量を低減することができる。
【０００９】
上記ＭＩＤＡＡは、３−メチルイミノ二酢酸を塩化チオニルやジシクロヘキシルカルボジイミドなどの縮合剤を用いて、酸塩化物を生成し、その後、トリエチルアミンなどの存在下でジメチルアミンやジ−ｎ−オクチルアミンなどの二級アミン化合物を氷点下で冷却しながら添加して緩やかに反応させ、得られた生成物を水、水酸化ナトリウム及び塩酸溶液で洗浄し、シリカゲルカラムに繰り返し通して単離精製することで製造することができる。
【００１０】
縮合剤の使用量は、３−メチルイミノ二酢酸１００質量部に対して１００〜１２０質量部とするのが、３−メチルイミノ二酢酸を十分に反応させることができると一般に考えられる。これより多い場合は反応液内に残分が多く生じるようになり、精製時においても経済性の点からも不都合である。
【００１１】
塩素化の反応条件は、アルゴン雰囲気で、塩化チオニルを攪拌しながらゆっくり加える（２〜３時間）。余分な塩化チオニル（沸点７９℃）は緩やかに加温することで蒸発させる。また、塩素化に際しては、酢酸エチルなどの溶媒を用いることができる。
【００１２】
二級アミン化合物の使用量は、塩素化により得られた化合物１００質量部に対して、１００〜１２０質量部とするのが、酸塩化物を十分に反応させると一般に考えられる。これより多い場合は反応液内に残分が多く生じるようになり、精製時においても経済性の点からも不都合である。
【００１３】
本発明の溶媒抽出分離方法は、原子力利用システムの高レベル放射性廃液など各種廃水の処理に適用されるものであり、抽出分離されるべき金属類としては、Ｃｒ、Ｍｏ、Ｐｄ、Ｔｃ、Ｗ、Ｒｅ、Ｐｕ等が挙げられる。
【００１４】
上記ＭＩＤＡＡの中でも特にメチルイミノビスジオクチルアセトアミド（以下「ＭＩＤＯＡ」という）が好ましい。その理由は以下の通りである。
（１）ＭＩＤＯＡは窒素ドナーを含む３座配位子であり、Ｃｒ、Ｍｏ、Ｔｃ、Ｗ、Ｒｅのオキソ酸と強く結合することができる。
（２）高レベル廃液に多く含まれるＰｄ、Ｐｕとの結合性も高い。
（３）ＭＩＤＯＡはクロマト樹脂に担持させることができる。
（４）ＭＩＤＯＡは疎水性が高く、ドデカンとの相溶性が高く、さらにそれ以外の多くの有機溶媒に溶解可能である。また、硝酸、塩酸、過塩素酸の水溶液からＣｒ、Ｍｏ、Ｐｄ、Ｔｃ、Ｗ、Ｒｅ、Ｐｕの比較的高い分配比を得ることができた。なお、分配比とは、［有機相中の金属イオン濃度］／［水相中の金属イオン濃度］を示す。
（５）ＭＩＤＯＡは炭素、窒素、酸素、水素からなる有機物で、焼却処分可能であり、二次廃棄物の発生が少ない。また、有機リン化合物、アミン化合物と異なり、毒性が低い。
（６）ＭＩＤＯＡは容易に製造でき、また、同じＭＩＤＯＡの中心骨格を持ち、オクチル基以外のアルキル基を持つ誘導体（具体的に、メチルイミノビスジへキシルアセトアミド、メチルイミノビスジデシルアセトアミド、メチルイミノビスジドデシルアセトアミド等）も容易に得られる。
【００１５】
本発明の溶媒抽出分離方法は、ＭＩＤＡＡを使用する点を除いて通常の溶媒抽出分離方法の手順を用いることができる。
ＭＩＤＡＡをｎ−ドデカン（溶剤）に溶解し、得られた溶液を高レベル放射性廃液と混合し、振とうさせる（液―液混合法）。溶剤としては、ドデカン、オクタノール、ニトロベンゼン、クロロホルム、トルエンなどを用いることができるが、安全性の観点などからｎ−ドデカンがもっとも好ましい。
【００１６】
ＭＩＤＡＡの使用量は、微量Ｔｃを回収する場合には、溶液の濃度がモル濃度で０．１〜０．２Ｍとなるようにするのが好ましく、高レベル放射性廃液中の濃度の高いＴｃの定量的な回収についてはそれより高い濃度も必要となる。
【００１７】
また、高レベル放射性廃液は、各種酸を含有する酸性水溶液であるのが通常である。含有する酸としては、硝酸、過酸化水素、塩酸、硫酸などが挙げられるが、硝酸溶液が一般的である。また、酸の濃度は、一般的には１Ｍ〜６Ｍである。
【００１８】
ＭＩＤＡＡと処理対象である高レベル放射性廃液との混合比は、処理対象である金属の含有量によっても異なるが、１：１の化学反応を起こすことが把握されており、一般的には０．０１：１〜１：０．０１（=水相：有機相の容積比）の範囲内とするのが好ましい。
【００１９】
振とう条件は、室温ないしは２５℃とし、振とう時間は、１０分〜２０分とするのが好ましい。
本発明の溶媒抽出方法には、抽出クロマト分離も含まれる。具体的には、ＭＩＤＡＡを溶解したメタノール（ＭＩＤＡＡ：０．１Ｍ、１０ｍｌ）とアンバーライト（登録商標）ＸＡＤ樹脂（米国ローム・アンド・ハース社）（約２ｇ）を混ぜ、１時間室温で撹拌した。その後、固相と液相とを分離して固相のみを回収乾燥し、ＭＩＤＡＡ含浸樹脂として用いた。ＭＩＤＡＡ含浸樹脂を直径１〜１０ｃｍのカラムに入れ、クロマト分離用とする。Ｔｃが吸着溶離する酸濃度条件（例えば、吸着は０．１Ｍのような希硝酸、溶離は５Ｍ以上の濃硝酸）を使い分けることにより分離回収する。
【発明の効果】
【００２０】
本発明において抽出剤として用いられるＭＩＤＡＡは、水溶液中のＣｒ、Ｍｏ、Ｐｄ、Ｔｃ、Ｗ、Ｒｅ、Ｐｕ等の金属類を効率的に、簡単な工程及び操作で抽出でき、毒性が少なく、焼却処分が可能で経済性にも優れた抽出剤として用いることができる。
【００２１】
そして、本発明の金属類の溶媒抽出方法は、Ｃｒ、Ｍｏ、Ｐｄ、Ｔｃ、Ｗ、Ｒｅ、Ｐｕのような金属類を高レベル放射性廃棄物から簡易に化学分離することができる。また、本発明の溶媒抽出方法は、抽出クロマト分離方法に容易に適用可能である。
【実施例】
【００２２】
以下、本発明を実施例及び比較例を用いてさらに具体的に説明するが、本発明はこれらに制限されるものではない。
（実施例１）ＭＩＤＯＡの調製
３−メチルイミノ二酢酸（和光純薬製）１０ｇと塩化チオニル２０ｇとを用いて塩素化を行った。溶媒としては酢酸エチルを１００ｇ用い、反応条件は、５０〜６０℃、２〜３時間とした。
【００２３】
その後、この反応溶液中にジオクチルアミン２０ｇを５℃以下に冷却しながら２〜３時間かけて添加し、添加終了後、一昼夜反応させた。反応終了後、シリカゲルカラムを用いて単離精製を行い、ＭＩＤＯＡを得た。得られたＭＩＤＯＡは、無極性溶媒のドデカンに高い溶解性（１．１Ｍ以上の濃度の溶液を調製可能）を示した。
（実施例２）
０．１Ｍ  ＭＩＤＯＡのｎ−ドデカン溶液を有機相に、水相には表１に示す各種濃度の硝酸水溶液を用いて、Ｃｒ、Ｍｏ、Ｐｄ、Ｔｃ、Ｗ、Ｒｅ、Ｐｕの溶媒抽出実験を行った。
【００２４】
【表１】
2010101641.tif 000002
【００２５】
溶媒抽出実験は、金属イオンを含む硝酸水溶液と０．１Ｍ  ＭＩＤＯＡドデカン溶液とを等量（容積比）混合、２５℃で３０分程度振とうして相分離させた。振とう後の水相及び有機相のβ線を液体シンチレーションカウンターで測定し、各金属の分配比を測定した。その結果を図１に示す。なお、図の横軸、縦軸はそれぞれ硝酸濃度と分配比である。図１は、抽出剤０．１Ｍを溶解したドデカン溶液を抽出溶媒に、水相には０．１Ｍ〜６Ｍまで硝酸濃度を変えて実験を行った時の各金属の分配比の硝酸濃度依存性を示す。また、図１には抽出剤としてテトラオクチルジグリコールアミド（ＴＯＤＧＡ）を用いた場合のＴｃの抽出実験の結果も併せて示す。図１から、ＭＩＤＯＡはＴＯＤＧＡよりも高いＴｃ分配比を示し、最高値で１０００程度となりその値は硝酸濃度増加と共に減少した。この結果から、Ｔｃは有機相中で１：１（金属イオン：ＭＩＤＯＡ）の錯体を形成することが明らかになった。また、分配比はＰｕを除いて全ての元素で酸濃度増加とともに減少し、高い分配比を示すことがわかった。図１より、いずれの元素も多段抽出（３回繰り返すことで、分配比３×３×３×＝２７を得る）を行うことで定量的な回収が可能な分配比１０を超えることがわかる。
（実施例３）
ＭＩＤＯＡ含浸の樹脂を使って分配比の測定を行った。
【００２６】
含浸樹脂は、ＭＩＤＯＡをメタノールに溶解して得られた０．１Ｍ濃度の溶液中に、アンバーライト（登録商標）ＸＡＤ−４樹脂（オルガノ社製）を添加し、１時間、室温で撹拌した。その後、固相と液相とを分離し、固相のみを回収乾燥してＭＩＤＯＡ含浸樹脂として用いた。なお、含浸したＭＩＤＯＡ量は樹脂１ｇに対し０．４ｇであった。
【００２７】
ついで、樹脂０．１ｇと各種金属を含む硝酸水溶液１ｍｌとを振り混ぜ、樹脂への吸着量を分配比：
【００２８】
【数１】
2010101641.tif 000003
【００２９】
として算出し、硝酸濃度との関係を表２及び図２に示した。
【００３０】
【表２】
2010101641.tif 000004
【００３１】
先の実施例２の液―液分配と同様な挙動を示すのがわかる。Ｃｒ、Ｍｏ、Ｔｃ、Ｗ、Ｒｅ、Ｐｄは希硝酸（０．１〜０．５Ｍ程度）、Ｐｕは濃硝酸（０．５〜６Ｍ）を用いて、定量的な回収が期待できる分配比１０を超えることを確認した。
【００３２】
このように、ＭＩＤＯＡを樹脂に担持させることで、抽出クロマト樹脂を簡単に調製でき、それを用いてＣｒ、Ｍｏ、Ｐｄ、Ｔｃ、Ｗ、Ｒｅ、Ｐｕの分離回収を行うことができることがわかった。
（実施例４）
０．１Ｍ  ＭＩＤＯＡのｎ−ドデカン溶液を有機相に、水相には表３に示す各種濃度の過塩素酸水溶液を用いて、Ｃｒ、Ｍｏ、Ｐｄ、Ｔｃ、Ｗ、Ｒｅ、Ｐｕの溶媒抽出実験を行った。溶媒抽出実験は、金属イオンを含む硝酸水溶液と０．１Ｍ  ＭＩＤＯＡドデカン溶液とを等量（容積比）混合、振とうし、振とう後の水相及び有機相の金属の分配比を測定した。その結果を図３に示す。
【００３３】
【表３】
2010101641.tif 000005
【００３４】
図３に示す結果より、Ｃｒ、Ｒｅを除く元素は多段抽出を行うことで定量的な回収が可能であることがわかる。具体的に、最も分配比の低いＴｃ（分配比２．９９）でも、本条件で３回溶媒抽出を繰り返すことにより最終的な分配比（２．９×２．９×２．９＝２４）が得られる。Ｃｒ、Ｒｅについても抽出剤濃度を増加させることで回収可能な条件（たとえば分配比１０以上）に到達する。
（実施例５）
０．１Ｍ  ＭＩＤＯＡのｎ−ドデカン溶液を有機相に、水相に０．２Ｍ  塩酸水溶液を用いて、Ｃｒ、Ｍｏ、Ｐｄ、Ｔｃ、Ｗ、Ｒｅ、Ｐｕの溶媒抽出実験を行った。それぞれ分配比は、Ｃｒ（＜０．０７）、Ｍｏ（３．２）、Ｐｄ（６９）、Ｔｃ（４）、Ｗ（０．４）、Ｒｅ（１５）、Ｐｕ（７．９）であった。特にＭｏ、Ｐｄ、Ｔｃ、Ｒｅ、Ｐｕは本抽出系で多段抽出（３回繰り返すことにより分配比３３を得る）により定量的な回収ができることがわかった。
【産業上の利用可能性】
【００３５】
本発明によれば、高レベル放射性廃液や各種酸溶液から効率的にＣｒ、Ｍｏ、Ｐｄ、Ｔｃ、Ｗ、Ｒｅ、Ｐｕを分離することができる。Ｔｃ、Ｐｕは核変換技術に供することで長期的な毒性を排除し、Ｍｏを回収することによりガラス固化体の発生量を抑えることができる。その他の元素は貴金属として再利用できる。
【図面の簡単な説明】
【００３６】
【図１】Ｃｒ、Ｍｏ、Ｐｄ、Ｔｃ、Ｗ、Ｒｅ、Ｐｕを含有する硝酸溶液からなる水相とＭＩＤＯＡのドデカン溶媒からなる有機相との間の分配比と硝酸濃度との関係を示した図である。
【図２】Ｃｒ、Ｍｏ、Ｐｄ、Ｔｃ、Ｗ、Ｒｅ、Ｐｕを含有する硝酸溶液からなる水相とＭＩＤＯＡを含浸した樹脂からなる固相との間の分配比と硝酸濃度との関係を示した図である。
【図３】Ｃｒ、Ｍｏ、Ｐｄ、Ｔｃ、Ｗ、Ｒｅ、Ｐｕを含有する過塩素酸溶液からなる水相とＭＩＤＯＡのドデカン溶媒からなる有機相との間の分配比と酸濃度との関係を示した図である。
【図１】
2010101641.tif 000006
【図２】
2010101641.tif 000007
【図３】
2010101641.tif 000008
【手続補正書】
【提出日】平成21年8月12日(2009.8.12)
【手続補正１】
【補正対象書類名】特許請求の範囲
【補正対象項目名】全文
【補正方法】変更
【補正の内容】
【特許請求の範囲】
【請求項１】
下記一般式（Ｉ）：
ＣＨ３−Ｎ−（ＣＨ２ＣＯＮＲ２）２・・・（Ｉ）
（式中、Ｒは炭素数が８個〜１２個のアルキル基を示す)
で表されるメチルイミノビスジアルキルアセトアミドを抽出剤として用いることを特徴とするＣｒ、Ｍｏ、Ｐｄ、Ｔｃ、Ｗ、Ｒｅ、Ｐｕから選択される金属類の溶媒抽出分離方法。
【請求項２】
メチルイミノビスジアルキルアセトアミドがメチルイミノビスジオクチルアセトアミドである、請求項１に記載の溶媒抽出分離方法。